(57)【要約】【課題】  井戸底に堆積している泥砂等を引き上げる装置であって、固まった泥砂であっても効率良く砕いて引き上げることが出来る装置の提供。【解決手段】  高圧水を送る高圧パイプ４の先端には噴射ノズル２を設け、又高圧パイプ４の先端部には筒状で上端を開口した網カゴ３を該高圧パイプ４と同心を成して取付け、そして高圧パイプ先端に設けた噴射ノズル２には下方へ高圧水を噴射する下噴射口８と、斜め上方へ高圧水を噴射する上噴射口９，９・・を設けている。【選択図】    図２
2005226277.tif 000002
【特許請求の範囲】
【請求項１】
井戸底に堆積している泥砂等を引き上げる装置において、高圧水を送る高圧パイプの先端には噴射ノズルを設け、又高圧パイプの先端部には筒状で上端を開口した網カゴを該高圧パイプと同心を成して取付け、そして高圧パイプ先端に設けた噴射ノズルには下方へ高圧水を噴射する下噴射口と、斜め上方へ高圧水を噴射する上噴射口を設けたことを特徴とする堆積泥砂の引き上げ装置。
【請求項２】
上記噴射ノズルを高圧パイプ先端に回転可能に取付けた請求項１記載の堆積泥砂の引き上げ装置。
【請求項３】
井戸底に堆積している泥砂等を引き上げる方法において、高圧水を高圧パイプの先端の噴射ノズルから下方へ噴射することで井戸底に堆積している泥砂を砕くと共に攪拌・上昇させ、又、噴射ノズルから斜め上方へ噴射する高圧水と共に井戸の内周面に沿って泥砂を更に上昇し、そしてある高さまで上昇して落下する泥砂を上記高圧パイプの先端部に取付けて上端を開口した筒状網カゴに収容して引き上げることを特徴とする堆積泥砂の引き上げ方法。
【発明の詳細な説明】
【技術分野】
【０００１】
本発明は井戸などの底部に堆積している泥、砂、及び土を引き上げる為の装置及び引き上げ方法に関するものである。
【背景技術】
【０００２】
街の所々には深井戸が設けられているが、この深井戸管のストレーナは目が細かくて泥や砂、サビ、水藻等の異物が付着して目詰まりを発生する。その結果、水が上がり難く、深井戸としての機能を失ってしまう。目詰まりは毎日使用されている深井戸は比較的少ないが、例えば消雪装置用としての深井戸の場合であれば１年のうち冬期だけ使用する為に、水を使用しない期間に深井戸管内に泥やその他の異物が付着してしまう。
【０００３】
付着した泥等の異物は乾いて固まり、使用する時には目詰まりを起こして水が上がりにくくなる。それを繰り返して長年経過した後で、水圧が弱くなったところでストレーナの洗浄が行なわれて来ている。しかし、従来の深井戸管内のストレーナの洗浄方法は、櫓を立ててワイヤーブラシを挿入し、該ワイヤーブラシを上下に動かして洗浄したり、或は深井戸管内に差し水を行なってポンプで上下に移動し、水圧により洗浄を行なっている。
【０００４】
しかしワイヤーブラシでストレーナ面を擦ったり又は差し水を上下方向に移動するだけでは、該ストレーナの奥深くまで入り込んでいる泥やその他の異物を取除くことが出来ない。すなわち、ストレーナの穴に入り込んだ目詰まりを十分に解消することは出来ない。そこで、特開２００２−１９２０９４に係る「深井戸管内の洗浄方法及び洗浄装置」が知られている。
【０００５】
この方法は、超高圧水ホースの先端に洗浄装置を連結し、該ホースと共に洗浄装置を降ろして深井戸管の洗浄を行なう方法がある。噴射ノズルからは超高圧水を噴射すると共に噴射に伴って噴射ノズルは回転し、そして洗浄装置の上端に取付けた遮蔽板によって超高圧噴射水の逃げ場を遮断し、さらに超高圧水ホースが挿通する穴を遮蔽板中央に設けると共にホースとの間には隙間を形成し、この隙間を通過して水と共に上がる泥や砂等の汚れを遮蔽板上に堆積するように構成している。
【０００６】
一方、井戸ではストレーナが目詰まりを発生するだけでなく、井戸底には泥砂が堆積し、時の経過につれて該泥砂は硬く固まってしまい、井戸の容積は次第に縮小して貯蔵される推量は減少する。そこで、井戸底に堆積する泥砂を吸い上げて除去しなくてはならないが、井戸底に堆積した泥砂を吸い上げる装置として、エアーコンプレッサーが使用されている。すなわち、ホースを井戸底へ挿入すると共に、エアーを送り込んで井戸水と共に底に堆積している泥砂を吸上げることが出来る。ところが、該エアーコンプレッサーの吸引力はそれ程大きくなく、特に泥砂が堆積して固まっている場合では該泥砂を吸上げることが出来ない。
【特許文献１】特開２００２−１９２０９４に係る「深井戸管内の洗浄方法及び洗浄装置」
【発明の開示】
【発明が解決しようとする課題】
【０００７】
このように、従来のエアーコンプレッサーによって井戸底に堆積している泥砂を吸い上げる場合には上記のごとき問題がある。本発明が解決しようとする課題はこの問題点であり、固まった泥砂であっても効率良く引き上げることが出来る装置及び泥砂の引き上げ方法を提供する。
【課題を解決するための手段】
【０００８】
本発明に係る泥砂を引き上げる装置は、ポンプ車から延びるホースには高圧管が接続され、該高圧管の先端には水の噴射ノズルを設けている。噴射ノズルは水を下方へ噴射する下噴射口と上方へ噴射することが出来る上噴射口を備えている。そして、該高圧管には筒状の網カゴが取付けられ、網カゴと高圧管は同心を成し、網カゴの上方は開口した形状と成っている。
【０００９】
ここで、上記噴射ノズルの形態は限定しないことにするが、下方への噴射は井戸底に堆積している泥砂を砕くことが出来る高圧水を噴射し、上方へは砕かれて攪拌された泥砂を網カゴの上方へ押上げることが出来るように噴射する。この場合、上記噴射ノズルを回転可能な構造とすることも出来る。
【発明の効果】
【００１０】
本発明に係る泥砂の引き上げ装置は、高圧管の先端に噴射ノズルを備えていることで、ポンプ車から送られる高圧水は該噴射ノズルから噴射され、井戸底に堆積して固まっている泥砂を砕き、これが外方向へ押されて上方へ流れる。そして、上方へ向いて設けている噴射口から噴射する水と共に更に上昇し、上昇した泥砂は所定の高さから落下して網カゴに収容される。
【００１１】
ここで、網カゴの大きさは井戸の内周面との間に大きな空間が残らないような適度な外径寸法とされていると共に、下から上昇する流れがあることで泥砂は井戸底へ再び落下することはなく、網カゴ内に収容される。そして、網カゴ内に泥砂が一杯に成ったところで引き上げられ、該泥砂を取出して再び井戸内に挿入されて、底に堆積している泥砂を収容することが出来る。このように、本発明の泥砂の引き上げ装置は、構造が噴射ノズルを備えると共に、網カゴを取付けただけの簡単な構造であり、しかも高圧水を噴射することで井戸底に堆積している泥砂を効率よく回収して引き上げることが可能である。
【実施例】
【００１２】
図１は本発明に係る泥砂の引き上げ装置を示す概略図であり、井戸内に収容されている場合である。同図の１はポンプ、２は噴射ノズル、３は網カゴ、４は高圧パイプ、５は高圧ホース、６は井戸をそれぞれ表している。上記ポンプ１は高圧水を高圧ホース５を通して高圧パイプ４へ送り、該高圧パイプ４の先端に設けている噴射ノズル２から高圧水が噴射する。
【００１３】
上記高圧パイプ４の下端部には筒状の網カゴ３が取付けられ、該網カゴ３に泥砂が収容されて引き上がられる。図２は本発明の泥砂引き上げ装置を表している具体例であり、高圧パイプ４の下端部には筒状の網カゴ３が取付けられ、上端は開口し、下側外側７は逆円錐状に傾斜している。そして、筒状の網カゴ３は高圧パイプ４と同心を成して取付けられ、所々には補強リング１０，１０・・が設けられている。
【００１４】
高圧パイプ４の下端に設けている噴射ノズル２は下噴射口８と複数の上噴射口９，９・・を有し、これら下噴射口８及び上噴射口９，９・・から高圧水が噴射する。下噴射口８からは高圧水が下方へ噴射し、上噴射口９，９・・からは高圧水が斜め上方へ噴射することが出来る。斜め上方へ噴射する高圧水は網カゴ３の下側が逆円錐状と成っているために、該網カゴ３に噴射する高圧水が当ることはない。
【００１５】
また、該噴射ノズル２を回転可能に取付けることもある。そして、上噴射口９，９・・から高圧水が噴射する向きを斜め後方とするならば、高圧水の噴射反力にて噴射ノズル２は回転することが出来る。実施例では、１個の噴射ノズル２に下噴射口８と上噴射口９，９・・を設けている場合であるが、下噴射ノズルと上噴射ノズルを備えることも出来る。
【００１６】
図３は本発明に係る泥砂の引き上げ装置の使用例を示している。該泥砂の引き上げ装置を井戸６の底へ降ろし、噴射ノズル２から高圧水を噴射する。下噴射口８から下方へ向いて噴射する高圧水は、井戸６の底に溜まっている固い堆積泥砂１１に当って砕き、該堆積泥砂１１は外側へ移動して矢印のように上方へ押上げられる。
【００１７】
そして、噴射ノズル２の上噴射口９，９・・からは斜め上方へ高圧水が噴射する為に、井戸６の内周面に沿って矢印方向への流れが形成され、該流れと共に泥砂１２，１２・・は上昇する。泥砂１２，１２・・は網カゴ３の上端より更に上昇したところで落下して開口１３から網カゴ３に収容される。該網カゴ３に泥砂１２が一杯に成ったところで引き上げられ、地上で取出される。
【００１８】
噴射ノズル２は回転しながら高圧水を噴射することが出来、その為に、網カゴ３と井戸内周面間を泥砂を含んだ水が渦巻き状に回転しながら上昇し、ある高さから落下して該網カゴ３に収容される。噴射ノズル２が回転することで噴射する高圧水は同一場所に当らず、しかも渦状の流れが発生することで直線上昇より泥砂は浮上し易くなると共に、網カゴ３と井戸内周面の空間１４を通して落下することが防止される。上昇した水は網カゴ３にて泥砂１２がろ過されて、該網カゴ３の中心軸部を通過して流れ落ちることが出来る。
【図面の簡単な説明】
【００１９】
【図１】本発明に係る泥砂の引き上げ装置の全体外観図。
【図２】本発明に係る泥砂の引き上げ装置の実施例。
【図３】本発明に係る泥砂の引き上げ装置の作用。
【符号の説明】
【００２０】
１  ポンプ
２  噴射ノズル
３  網カゴ
４  高圧パイプ
５  高圧ホース
６  井戸
７  外周
８  下噴射口
９  上噴射口
10  補助リング
11  堆積泥砂
12  泥砂
13  開口
14  空間
【図１】
2005226277.tif 000003
【図２】
2005226277.tif 000004
【図３】
2005226277.tif 000005